(57)【特許請求の範囲】
【請求項１】
前身頃を構成する第１外装部と、
後身頃を構成する第２外装部と、
前後方向における両端部が前記第１外装部と前記第２外装部と重なり接着される吸収性本体であって、肌と接触する内面における前記前後方向に沿う両側縁部に立体ギャザーを備えた前記吸収性本体とを備え、
前記第１外装部と前記第２外装部とは、胴周り方向の両端部が接続されて胴周り部を構成し、
前記第１外装部と前記第２外装部のうちの少なくとも１つの外装部は、前記胴周り部に沿う上部外装体と、前記上部外装体の下端に上端が隣接する下部外装体とを備え、
前記上部外装体は、前記胴周り方向に伸縮する上部伸縮部材を備え、
前記下部外装体は、前記胴周り方向に伸縮する下部伸縮部材を備え、
前記上部伸縮部材は、前記胴周り部が形成される状態で前記吸収性本体に対して前記胴周り部の内側のみに配置されており、
前記下部伸縮部材は、前記胴周り部が形成される状態で前記吸収性本体に対して前記胴周り部の外側のみに配置されており、
前記立体ギャザーの前後方向における端部の位置が前記胴周り部の下端より上側の領域にある
使い捨ておむつ。
【請求項２】
前記吸収性本体に対して前記下部外装体が重なる領域が下部接着領域であり、
前記下部接着領域では、伸長状態にある前記下部伸縮部材が配置されていない
請求項１に記載の使い捨ておむつ。
【請求項３】
前記吸収性本体に対して前記上部外装体が重なる領域が上部接着領域であり、
前記上部接着領域は、非接着部を含み、
前記非接着部は、股下部側を開口端とし前記開口端を除く周囲が接着部で囲まれたポケット形状を有している
請求項１に記載の使い捨ておむつ。
【請求項４】
前記吸収性本体に対して前記下部外装体が重なる領域が下部接着領域であり、
前記下部接着領域では、前記下部伸縮部材が伸長した状態で配置されている
請求項３に記載の使い捨ておむつ。
【請求項５】
前記下部外装体と前記上部外装体とは、一連のシートによって一体である
請求項１ないし４のうち何れか１項に記載の使い捨ておむつ。
【発明の詳細な説明】
【技術分野】
【０００１】
本発明は、外装部が伸縮部材を備える使い捨ておむつに関する。
【背景技術】
【０００２】
特許文献１に示すように、使い捨ておむつは、前身頃を構成する第１外装部と、後身頃とを構成する第２外装部と、前端部が第１外装部に接合され後端部が第２外装部に接合される吸収性本体とから構成されている。第１外装部と第２外装部とは、吸収性本体を２つに折曲し、各外装部の胴周り方向の両端部同士を接合することで、上端部に胴周り部を構成し、下端部に脚周り開口部を構成する。第１外装部および第２外装部には、胴周り部に胴周り方向に沿って糸ゴムなどの伸縮部材が配置されている。また、吸収性本体は、肌と接触する内面であって、前後方向に沿う両端部に立体ギャザーが配置されている。立体ギャザーは、装着時において、脚周り開口部に位置する。
【先行技術文献】
【特許文献】
【０００３】
【特許文献１】特開２００６−２６３３０６号公報
【発明の概要】
【発明が解決しようとする課題】
【０００４】
一方、特許文献１の使い捨ておむつでは、外装部の伸縮部材が吸収性本体に対して外側、すなわち肌とは反対側に位置している。この場合、外装部が伸縮部材によって胴周り方向に収縮することに合わせて、吸収性本体も、外装部と重なる部分や当該部分と近い部分において、同方向に細かいひだ状の折り目を付けるように収縮し、吸収性本体と肌との間に隙間を生じてしまう。この隙間は、排泄物が腹部から漏れる腹漏れや背部から漏れる背漏れの原因となる。
【０００５】
他方、使い捨ておむつには、上述の例とは逆に、伸縮部材が、吸収性本体に対して内側、すなわち肌側に位置したものも知られている。この場合、胴周り部においては、上述した隙間が生じにくく、肌と外装部との密着性が向上し、腹漏れや背漏れを抑制することができる。しかしながら、伸縮部材が吸収性本体に対して内側に位置しているため、使用時、吸収性本体は、肌とは反対の外側に向かって凸状に湾曲する。そのため、吸収性本体の内面において立体ギャザーは、肌から離れて肌に密着しにくくなり、脚周りに隙間を生じてしまう。この隙間は、排泄物が脚周りから漏れる漏れの原因となる。
【０００６】
本発明は、胴周りからの漏れを抑制しつつ、脚回りからの漏れを抑制することを可能とした使い捨ておむつを提供することを目的とする。
【課題を解決するための手段】
【０００７】
上記課題を解決するための使い捨ておむつは、前身頃を構成する第１外装部と、後身頃を構成する第２外装部と、前後方向における両端部が前記第１外装部と前記第２外装部と重なり接着される吸収性本体であって、肌と接触する内面における前記前後方向に沿う両側縁部に立体ギャザーを備えた前記吸収性本体とを備える。前記第１外装部と前記第２外装部とは、胴周り方向の両端部が接続されて上端部に胴周り部を構成する。前記第１外装部と前記第２外装部のうちの少なくとも１つの外装部は、前記胴周り部に沿う上部領域と前記上部領域の下側に隣接する下部領域とを備え、前記上部領域は、前記胴周り方向に伸縮する上部伸縮部材を備え、前記下部領域は、前記胴周り方向に伸縮する下部伸縮部材を備える。前記上部伸縮部材は、前記胴周り部が形成される状態で前記吸収性本体に対して前記胴周り部の内側に配置されており、前記下部伸縮部材は、前記胴周り部が形成される状態で前記吸収性本体に対して前記胴周り部の外側に配置されている。そして、前記立体ギャザーの前後方向における端部の位置が前記胴回り部の下端より上側の領域にある。
上記構成によれば、外装部の上部領域において、上部伸縮部材は、吸収性本体に対して内側に位置しているので、胴周り部において、密着性が向上する。また、外装部の下部領域において、下部伸縮部材は、吸収性本体に対して外側に位置しているため、立体ギャザーが肌側に密着するように押さえられることで、脚回り部からの漏れを抑制することができる。
【０００８】
上記使い捨ておむつにおいて、前記下部領域において、前記吸収性本体に対して前記外装部が重なる領域が下部接着領域であり、前記下部接着領域では、伸長状態にある前記下部伸縮部材が配置されていないように構成してもよい。
上記構成によれば、下部接着領域では、伸長状態にある下部伸縮部材が配置されていないので、下部領域において、吸収性本体が下部伸縮部材の収縮に合わせて収縮して吸収性本体と肌との間に隙間を生じることを抑制することができ、腹漏れや背漏れを抑制することができる。
【０００９】
上記使い捨ておむつにおいて、前記上部領域において、前記吸収性本体に対して前記外装部が重なる領域が上部接着領域であり、前記上部接着領域は、接着部と非接着部とを備え、前記非接着部は、股下部側を開口端とし前記開口端を除く周囲が前記接着部で囲まれたポケット形状を有している構成としてもよい。
上記構成によれば、非接着部がポケット形状を有するので、排泄物は、非接着部に収容されやすくなり、腹漏れや背漏れを抑制することができる。
【００１０】
上記使い捨ておむつにおいて、前記下部領域において、前記吸収性本体に対して前記外装部が重なる領域が下部接着領域であり、前記下部接着領域では、前記下部伸縮部材が伸長した状態で配置されている構成としてもよい。
上記構成によれば、下部接着領域では、伸長した下部伸縮部材を切断する必要が無くなり、製造工程を簡素化することができる。
【００１１】
上記使い捨ておむつにおいて、前記下部領域に配置される前記外装部と前記上部領域に配置される前記外装部とは、一連である構成としてもよい。
上記構成によれば、下部領域に配置される外装部と上部領域に配置される外装部との間に隙間が生じないので、使い捨ておむつを履きやすくなる。
【発明の効果】
【００１２】
本発明によれば、胴周りからの漏れを抑制しつつ、脚回りからの漏れを抑制することを可能とした。
【図面の簡単な説明】
【００１３】
【図１】本発明の使い捨ておむつを具体化した第１実施形態におけるパンツ型使い捨ておむつの斜視図。
【図２】（ａ）は、第１実施形態におけるパンツ型使い捨ておむつの展開状態を示す平面図、（ｂ）は、（ａ）のａ−ａ断面図、（ｃ）は、上部領域の接着領域を（ａ）に対応して示す平面図、（ｄ）は、下部領域の接着領域を（ａ）に対応して示す平面図。
【図３】（ａ）は、第２実施形態におけるパンツ型使い捨ておむつの展開状態を示す平面図、（ｂ）は、（ａ）のａ−ａ断面図、（ｃ）は、上部領域の接着領域を（ａ）に対応して示す平面図、（ｄ）は、下部領域の接着領域を（ａ）に対応して示す平面図。
【図４】（ａ）は、第３実施形態におけるパンツ型使い捨ておむつの展開状態を示す平面図、（ｂ）は、（ａ）のａ−ａ断面図、（ｃ）は、上部領域の接着領域を（ａ）に対応して示す平面図、（ｄ）は、下部領域の接着領域を（ａ）に対応して示す平面図。
【図５】（ａ）は、第４実施形態におけるパンツ型使い捨ておむつの展開状態を示す平面図、（ｂ）は、（ａ）のａ−ａ断面図、（ｃ）は、上部領域の接着領域を（ａ）に対応して示す平面図、（ｄ）は、外側に位置する外装シートの接着領域を（ａ）に対応して示す平面図。
【図６】（ａ）は、第５実施形態におけるパンツ型使い捨ておむつの展開状態を示す平面図、（ｂ）は、（ａ）のａ−ａ断面図、（ｃ）は、上部領域における吸収性本体と上部外装体との関係を（ａ）に対応して示す平面図、（ｄ）は、外側に位置する外装シートの接着領域を（ａ）に対応して示す平面図。
【図７】（ａ）は、第６実施形態におけるパンツ型使い捨ておむつの展開状態を示す平面図、（ｂ）は、（ａ）のａ−ａ断面図、（ｃ）は、上部領域の接着領域を（ａ）に対応して示す平面図、（ｄ）は、外側に位置する外装シートの接着領域を（ａ）に対応して示す平面図。
【発明を実施するための形態】
【００１４】
〔第１実施形態〕
図１および図２を参照して本発明における使い捨ておむつを具体化した一実施形態におけるパンツ型使い捨ておむつについて説明する。
図１に示すように、パンツ型使い捨ておむつ１０（以下、単に「おむつ１０」という。）は、人体の腹部形状に追従する形状を有する前身頃１０Ｆと、人体の背部形状に追従する形状を有する後身頃１０Ｒと、前身頃１０Ｆおよび後身頃１０Ｒを繋ぐ股下部１０Ｃとを備える。
【００１５】
前身頃１０Ｆにおいて股下部１０Ｃと反対側は、人体の胴周りの部分を取り囲む胴周り部１０Ｗを構成し、胴周り部１０Ｗは、上端に胴周り開口部１０Ａを備えている。また、前身頃１０Ｆにおける左右両端部、後身頃１０Ｒにおける左右両端部、および、股下部１０Ｃにおける左右両端部とは、人体の太股部分を取り囲む形状を有した左右一対の脚周り開口部１０Ｌを構成している。また、前身頃１０Ｆと後身頃１０Ｒの胴周り方向の左右両端部は、接合部１１となっている。
【００１６】
図２（ａ）は、パンツ型使い捨ておむつの展開状態を示す平面図、（ｂ）は、ａ−ａ断面図である。なお、図２（ｂ）において、右側がおむつ装着者の肌側となる。前身頃１０Ｆにおける胴周り部１０Ｗは、第１外装部としての第１外装体１２Ｆで構成され、後身頃１０Ｒにおける胴周り部１０Ｗは、第２外装部としての第２外装体１２Ｒで構成されている。以下、単に、第１外装体１２Ｆと第２外装体１２Ｒとをまとめて外装体１２ともいう。
外装体１２は、胴周り方向を長手方向とした矩形形状を有しており、外装シート１３と外装シート１４との間に伸縮部材１５（１５Ｕ，１５Ｄ）が挟まれて構成されている。外装シート１３と外装シート１４とは、一連であり、２つ折りにすることで、間に、伸縮部材１５を挟み込んで構成されている。なお、外装シート１３と外装シート１４とは、別体でもよい。ここでは、上部外装体１２Ｕにおいて、外装シート１３と外装シート１４とが一連であり、下部外装体１２Ｄにおいて、外装シート１３と外装シート１４とが別体となっている。
【００１７】
外装シート１３と外装シート１４とは、良好な手触りを得るために薄い不織布が用いられている。外装シート１３は、着用者の肌側となる内側に位置し、外装シート１４は、外側に位置する。一例として、不織布としては、ポリエチレン、ポリプロピレン、ポリエステル、その他の熱可塑性樹脂を原料とした合成繊維からなる不織布を挙げることができる。外装シート１３と外装シート１４とは、液不透過性であってもよいし、液透過性であってもよい。
【００１８】
伸縮部材１５は、天然ゴム、合成ゴム、ウレタンなどから選ばれる１つ以上の材料により形成された弾性体であり、糸状、紐状、ネット状、平型形状に形成されている。伸縮部材１５は、複数本が互いに平行に、胴周り方向に沿って配置されている。
【００１９】
第１外装体１２Ｆと第２外装体１２Ｒとは、股下部１０Ｃを構成する吸収性本体１６で連結される。吸収性本体１６は、前後方向を長手方向とした矩形形状を有している。吸収性本体１６は、液不透過性を有したバックシート１７と、吸収体１８と、液透過性を有したトップシート１９とを備える。おむつ１０において、トップシート１９は、着用者の肌と接する内側に配置され、バックシート１７は、外側に配置される。そして、おむつ１０において、外側から、バックシート１７、吸収体１８、トップシート１９の順に重なっている。さらに、バックシート１７の外側には、手触り感を向上させるために、不織布を配置してもよい。
【００２０】
バックシート１７を形成する材料は、例えば、液不透過性を有したポリエチレン樹脂製のフィルムである。バックシート１７は、通気性を確保するため、微細孔が多数形成されている。トップシート１９を形成する材料は、例えば、織布、不織布、多孔性フィルムなどから選ばれる１以上の材料である。また、トップシート１９は、例えば、ポリプロピレン、ポリエチレン、ポリエステル、ナイロンのような熱可塑性樹脂の繊維であって親水化処理が施された繊維から構成される液透過性を有した不織布などが用いられる。
【００２１】
吸収体１８は、前身頃１０Ｆ、股下部１０Ｃ、および、後身頃１０Ｒに跨るように細長い帯形状を有している。吸収体１８を形成する材料は、例えば、フラップパルプ、高吸収性ポリマー、親水性シートなどの吸収性材料である。そして、吸収体１８は、コアラップによって包まれ、バックシート１７とトップシート１９との間に配置され接合される。
【００２２】
吸収性本体１６には、前後方向に沿う両端部に立体ギャザー２１が配置されている。立体ギャザー２１は、トップシート１９に前後方向に沿う両端部にサイドシート２１Ｓを配置し、サイドシート２１Ｓに伸縮部材２１Ｅを前後方向に沿って配置して構成されている。具体的に、サイドシート２１Ｓは、液不透過性を有した不織布などを含んだ前後方向に延びる長尺のシート体である。サイドシート２１Ｓは、前端部が前身頃１０Ｆの一部を構成する第１外装体１２Ｆと重なり、後端部が後身頃１０Ｒの一部を構成する第２外装体１２Ｒと重なるように配置される。立体ギャザー２１は、伸縮部材２１Ｅが収縮した際に、サイドシート２１Ｓを着用者の肌当接方向に向かって立ち上がり、脚回り開口部１０Ｌの周囲に位置する。
【００２３】
図２（ｂ）に示すように、第１外装体１２Ｆおよび第２外装体１２Ｒの何れの外装体１２においても、外装体１２は、上部領域における上部外装体１２Ｕと下部領域における下部外装体１２Ｄとに分割されている。上部外装体１２Ｕは、吸収性本体１６に対して内側、すなわちトップシート１９側に配置され、胴周り部１０Ｗを構成する。下部外装体１２Ｄは、吸収性本体１６に対して外側、すなわちバックシート１７側に配置される。立体ギャザー２１の前端部と後端部は、吸収性本体１６上において、下部外装体１２Ｄと少なくとも重なる位置まで延在され、ここでは、下部外装体１２Ｄと上部外装体１２Ｕとの境界部分にまで延在される。したがって、立体ギャザー２１は、肌に密着するように、下部外装体１２Ｄによって押さえられる。立体ギャザー２１を構成するサイドシート２１Ｓは、伸縮部材２１Ｅを挟み込むように折り返され、折り返しの前端部と後端部がシール部２３でシールされる。
【００２４】
また、上部外装体１２Ｕにおける上部伸縮部材１５Ｕは、胴周り方向を長手方向とした外装シート１３，１４の間において、胴周り方向における左右両端部に亘って配置され、肌との密着性を高めている。これに対して、下部外装体１２Ｄにおける下部伸縮部材１５Ｄは、吸収性本体１６と重なる領域において、伸長した状態で配置されないように構成されている。このような構成は、外装シート１３，１４の間において伸長された状態にある下部伸縮部材１５Ｄを、吸収性本体１６、特に吸収体１８と重なる領域において切断することで実現することができる。したがって、下部伸縮部材１５Ｄは、吸収性本体１６と重なる領域において、伸長していない状態で存在していてもよい。これにより、下部外装体１２Ｄと重なる領域およびその周辺領域において、吸収性本体１６が下部伸縮部材１５Ｄの収縮に合わせて細かいひだ状の折り目を付けるように収縮して吸収性本体１６と肌との間に隙間を生じることを抑制できる。
【００２５】
上部伸縮部材１５Ｕは、胴周り部１０Ｗの胴周り開口部１０Ａに近い部分ではウェストギャザーを構成し、下部伸縮部材１５Ｄは、ウェストギャザーと下側に隣接する位置ではシャーリングギャザーを構成する。胴周り方向と直交する高さ方向における幅の寸法は、ウェストギャザーを備える上部外装体１２Ｕの方がシャーリングギャザーを構成する下部外装体１２Ｄより広くなるように形成されている。詳しくは、上部外装体１２Ｕの胴周り方向と直交する高さ方向の外装体１２の寸法は、外装体１２の全体の寸法の半分より若干大きくなるように設定される。おむつ１０は、シャーリングギャザーを備えた下部外装体１２Ｄより締まりの強いウェストギャザーを備えた上部外装体１２Ｕの寸法を大きくすることで、腹漏れや背漏れを発生しにくくしている。
【００２６】
図２（ｃ）に示すように、上部外装体１２Ｕは、吸収性本体１６に対してホットメルト接着剤２２により接着される。この際、上部接着領域２２Ｕは、吸収性本体１６が上部外装体１２Ｕと重なる前端部および後端部における全領域とされる。図２（ｄ）に示すように、下部外装体１２Ｄは、吸収性本体１６に対してホットメルト接着剤２２により接着される。この際、下部接着領域２２Ｄは、吸収性本体１６が下部外装体１２Ｄと重なる全領域とされる。そして、上部外装体１２Ｕの下端部と下部外装体１２Ｄの上端部は、胴回り方向と直交する方向において、間に隙間が生じないように、前後方向において同じ位置に揃うように、吸収性本体１６の各面に配置される。
【００２７】
以上、上記第１実施形態によれば以下に列挙する効果を得ることができる。
（１）外装体１２の上部領域において、上部外装体１２Ｕにおける上部伸縮部材１５Ｕは、吸収性本体１６に対して内側に位置しているので、胴周り部１０Ｗにおいて、肌との密着性を向上させることができる。また、胴周り部１０Ｗにおいて、上部伸縮部材１５Ｕが吸収性本体１６に対して内側に位置していることで、吸収性本体１６は、胴周りに沿う方向に湾曲する。この点でも、吸収性本体１６の前端部および後端部と肌との密着性が向上する。これにより、肌との間に隙間が生じにくくなり、腹漏れや背漏れを抑制することができる。
【００２８】
（２）外装体１２の下部領域において、下部外装体１２Ｄにおける下部伸縮部材１５Ｄは、吸収性本体１６に対して外側に位置している。そして、下部領域において、吸収性本体１６の肌と接触する内面側に位置する立体ギャザー２１は、下部伸縮部材１５Ｄによって、着用者の肌当接方向に向かって押さえつけられ、隙間が脚との間に生じにくくなり、脚回り開口部１０Ｌからの漏れを抑制することができる。
【００２９】
（３）下部伸縮部材１５Ｄは、吸収性本体１６と重なる領域において伸長した状態で配置されないように構成されている。これにより、吸収性本体１６は、下部外装体１２Ｄと重なる領域およびその周辺領域において、下部伸縮部材１５Ｄの収縮に合わせて吸収性本体１６が収縮して、吸収性本体１６と肌との間に隙間を生じることを抑制でき、腹漏れや背漏れを抑制することができる。
（４）以上のように、おむつ１０は、新たに漏れを抑制するための立体ギャザーやポケットを設けるまでもなく、伸縮部材１５の配置を、上部領域と下部領域とで変えるだけで、腹漏れや背漏れ、さらに脚周りからの漏れを抑制することができる。
【００３０】
〔第２実施形態〕
図３（ａ）は、第２実施形態におけるパンツ型使い捨ておむつの展開状態を示す平面図、（ｂ）は、（ａ）のａ−ａ断面図、（ｃ）は、上部領域の接着領域を（ａ）に対応して示す平面図、（ｄ）は、下部領域の接着領域を（ａ）に対応して示す平面図である。なお、図３（ｂ）において、右側がおむつ装着者の肌側となる。
【００３１】
図３（ｃ）に示すように、第２実施形態におけるパンツ型使い捨ておむつ３０において、上部外装体１２Ｕと吸収性本体１６の接着領域となる上部接着領域は、接着部３１と非接着部３２とを組み合わせて構成される。具体的に、上部外装体１２Ｕと吸収性本体１６との接着は、上部領域において、吸収性本体１６の前端部および後端部のＵ字形状の周辺部を接着部３１とし、吸収性本体１６の前後方向における中央部側、すなわち股下部１０Ｃ側を開口端３３とし、接着部３１に囲まれた領域を非接着部３２としている。これにより、非接着部３２において、上部外装体１２Ｕは、吸収性本体１６と遊離しポケット３４を構成する。
なお、ポケット３４の下側において、下部伸縮部材１５Ｄは、吸収性本体１６と重なる領域において、伸長した状態で配置されないように構成されている。
【００３２】
以上、上記第２実施形態によれば以下に列挙する効果を得ることができる。
（５）胴周り部１０Ｗにおいて、上部伸縮部材１５Ｕが吸収性本体１６に対して内側に位置していることで、吸収性本体１６は、胴周りに沿うような方向に湾曲する。この湾曲によって、吸収性本体１６に対して分離している上部外装体１２Ｕは、吸収性本体１６に対して離間しやすくなり、ポケット３４が開きやすくなる。したがって、排泄物は、ポケット３４に収容されやすくなり、腹漏れや背漏れを抑制することができる。
【００３３】
〔第３実施形態〕
図４（ａ）は、第３実施形態におけるパンツ型使い捨ておむつの展開状態を示す平面図、（ｂ）は、（ａ）のａ−ａ断面図、（ｃ）は、上部領域の接着領域を（ａ）に対応して示す平面図、（ｄ）は、下部領域の接着領域を（ａ）に対応して示す平面図である。なお、図４（ｂ）において、右側がおむつ装着者の肌側となる。
【００３４】
図４（ａ）に示すように、第３実施形態におけるパンツ型使い捨ておむつ４０において、下部伸縮部材１５Ｄは、吸収性本体１６と重なる領域において、伸長された状態で配置されている。また、パンツ型使い捨ておむつ４０においても、上部外装体１２Ｕは、非接着部３２において、トップシート１９と遊離しポケット３４を構成している。
【００３５】
以上、上記第３実施形態によれば以下に列挙する効果を得ることができる。
（６）下部領域において、下部伸縮部材１５Ｄは、吸収性本体１６に対して外側に位置している。したがって、吸収性本体１６は、胴周りに対して反対方向に湾曲しやすく、この点で、肌との間に隙間が生じやすくなる。第３実施形態では、上部領域に、ポケット３４が形成されている。したがって、下部領域において形成された隙間から漏れが発生したとしても、排泄物をポケット３４で収容し、腹漏れや背漏れを抑制することができる。
（７）第１実施形態や第２実施形態のように、下部外装体１２Ｄにおける下部伸縮部材１５Ｄが吸収性本体１６と重なる領域において、下部伸縮部材１５Ｄが伸長された状態で配置されないように切断する工程も不要となる。この点で、製造工程を簡素化し、生産効率の向上を実現することもできる。
【００３６】
〔第４実施形態〕
図５（ａ）は、第４実施形態におけるパンツ型使い捨ておむつの展開状態を示す平面図、（ｂ）は、（ａ）のａ−ａ断面図、（ｃ）は、上部領域の接着領域を（ａ）に対応して示す平面図、（ｄ）は、外側に位置する外装シートの接着領域を（ａ）に対応して示す平面図である。なお、図５（ｂ）において、右側がおむつ装着者の肌側となる。
【００３７】
図５（ｂ）に示すように、第４実施形態におけるパンツ型使い捨ておむつ５０において、上部外装体１２Ｕの最も肌に近い内側に位置する外装シート１３と最も外側に位置する外装シート１４とを一連のシートで構成している。そして、最も外側に位置する外装シート１４は、ホットメルト接着剤２２によって、下部領域と上部領域とに亘って吸収性本体１６に対して接着される。この場合、外装体１２は、上部外装体１２Ｕと下部外装体１２Ｄとに分割されず一体となる。
【００３８】
以上、上記第４実施形態によれば以下に列挙する効果を得ることができる。
（８）上部外装体１２Ｕと下部外装体１２Ｄとが一体で、左右両側の接合部１１の近傍における境界部分に、上部外装体１２Ｕと下部外装体１２Ｄとを２分割したときに形成される隙間が生じない。したがって、パンツ型使い捨ておむつ５０を履く際にも、脚が上部外装体１２Ｕと下部外装体１２Ｄとの間の隙間に進入してしまうことがなくなり、パンツ型使い捨ておむつ５０が履きにくくなることを抑制することができる。
（９）パンツ型使い捨ておむつ５０を脱がせる際には、接合部１１を破ることになる。接合部１１においても、上部外装体１２Ｕと下部外装体１２Ｄとに分離されていないので、１回の作業で、接合部１１を破ることができる。
【００３９】
〔第５実施形態〕
図６（ａ）は、第５実施形態におけるパンツ型使い捨ておむつの展開状態を示す平面図、（ｂ）は、（ａ）のａ−ａ断面図、（ｃ）は、上部領域における吸収性本体と上部外装体との関係を（ａ）に対応して示す平面図、（ｄ）は、外側に位置する外装シートの接着領域を（ａ）に対応して示す平面図である。なお、図６（ｂ）において、右側がおむつ装着者の肌側となる。
【００４０】
図６（ｂ）に示すように、第５実施形態におけるパンツ型使い捨ておむつ６０は、第４実施形態と同様に、上部外装体１２Ｕの最も肌に近い内側に位置する外装シート１３と最も外側に位置する外装シート１４とを一連のシートで構成している。そして、最も外側に位置する外装シート１４は、ホットメルト接着剤２２によって、下部領域と上部領域とに亘って吸収性本体１６に対して接着されている。この場合、下部外装体１２Ｄは、上部外装体１２Ｕと分割されず一体となる。
図６（ｂ）および（ｃ）に示すように、その一方で、上部外装体１２Ｕは、吸収性本体１６の内面と接着されていない。すなわち、上部外装体１２Ｕと吸収性本体１６の内面との間には、上部接着領域２２Ｕは形成されない。
【００４１】
以上、上記第５実施形態によれば、上記（８）および（９）の効果に加えて、以下に列挙する効果を得ることができる。
（１０）吸収性本体１６の内側に位置する上部外装体１２Ｕは、吸収性本体１６と直接の接着部分が無くなる。したがって、上部伸縮部材１５Ｕは、自由に伸縮することができ、肌との密着性が向上する。したがって、着用者の動きに対する追従性が悪くなることを抑制することができる。
（１１）上部外装体１２Ｕが吸収性本体１６に対して非接着であっても、上部外装体１２Ｕの最も肌に近い内側に位置する外装シート１３と最も外側に位置する外装シート１４とを一連のシートで構成されている。したがって、排泄物が吸収性本体１６と上部外装体１２Ｕの間から外部へ漏れることも抑制できる。
【００４２】
〔第６実施形態〕
図７（ａ）は、第６実施形態におけるパンツ型使い捨ておむつの展開状態を示す平面図、（ｂ）は、（ａ）のａ−ａ断面図、（ｃ）は、上部領域の接着領域を（ａ）に対応して示す平面図、（ｄ）は、外側に位置する外装シートの接着領域を（ａ）に対応して示す平面図である。なお、図７（ｂ）において、右側がおむつ装着者の肌側となる。
【００４３】
図７（ａ）および（ｂ）に示すように、パンツ型使い捨ておむつ７０は、最も外側に位置する外装シート１４が第１外装体１２Ｆ、吸収性本体１６、および、第２外装体１２Ｒに亘って配置される。そして、外装シート１４には、前後方向に沿った左右両側部の中央部には、脚周り開口部１０Ｌを構成する半円弧状の形状を有した一対の切欠端部６１が形成されている。この場合、上部外装体１２Ｕおよび下部外装体１２Ｄにおける外装シート１４と吸収性本体１６との接着領域２２Ａは、下部領域だけでなく上部領域、さらには吸収性本体１６の股下部１０Ｃ上にまで亘って設けられる。以上のように構成されたパンツ型使い捨ておむつ７０においても、上述したパンツ型使い捨ておむつと同様な作用効果を達成することができる。
【００４４】
なお、上記各実施形態は以下のように適宜変更して実施することもできる。
・下部伸縮部材１５Ｄが、吸収性本体１６と重なる領域において、伸長した状態で配置されないようにする構成は、前身頃１０Ｆ側だけとしてもよいし、後身頃１０Ｒ側だけとしてもよい。下部伸縮部材１５Ｄは、吸収性本体１６と重なる領域において、弛んだ状態で配置されていてもよい。
・ポケット３４は、前身頃１０Ｆ側だけに設けてもよいし、後身頃１０Ｒ側だけでもよい。
・立体ギャザー２１の前端部と後端部は、吸収性本体１６上において、下部外装体１２Ｄと少なくとも重なる位置まで延在されていればよい。例えば、上部領域の上部外装体１２Ｕとも重なっていてもよいし、胴周り部１０Ｗの胴周り開口部１０Ａの近傍にまで延在していてもよい。さらに、立体ギャザー２１の前端部と後端部は、胴周り開口部１０Ａの上側にはみ出していてもよい。
・吸収性本体１６に対して内側に位置する上部外装体１２Ｕの下側端部と外側に位置する下部外装体１２Ｄの上側端部とは、境界部分において、同じ位置に位置していてもよいし、重なっていてもよい。
・上部領域は、上部伸縮部材１５Ｕが吸収性本体１６に対して内側に位置していればよく、下部領域は、下部伸縮部材１５Ｄが吸収性本体１６に対して外側に位置していればよい。例えば、吸収性本体１６の前端部や後端部の接着領域に対して、外装シートで吸収性本体１６を外側と内側から挟み込むようにしてもよい。この際に用いられる各外装シートは、上部領域と下部領域とで分割されていない１枚のシートである。そして、上部伸縮部材１５Ｕを吸収性本体１６の内側に位置する外装シートの上部領域に固着し、下部伸縮部材１５Ｄを吸収性本体１６の外側に位置する外装シートの下部領域に固着しておけばよい。
・外装体１２を構成する外装シート１３，１４は、液不透過性であってもよいし、液透過性であってもよい。
・使い捨ておむつとしては、前身頃と後身頃とを面テープなどで接続するテープ型のおむつであってもよい。
・乳幼児用又は介護を必要とする高齢者や障害者等の成人用の使い捨ておむつであってもよい。
【符号の説明】
【００４５】
１０…おむつ、１０Ａ…胴周り開口部、１０Ｆ…前身頃、１０Ｒ…後身頃、１０Ｃ…股下部、１０Ｗ…胴周り部、１０Ｌ…脚周り開口部、１１…接合部、１２…外装体、１２Ｆ…第１外装体、１２Ｒ…第２外装体、１２Ｕ…上部外装体、１２Ｄ…下部外装体、１３…外装シート、１４…外装シート、１５…伸縮部材、１５Ｕ…上部伸縮部材、１５Ｄ…下部伸縮部材、１６…吸収性本体、１７…バックシート、１８…吸収体、１９…トップシート、２１…立体ギャザー、２１Ｓ…サイドシート、２１Ｅ…伸縮部材、２２…ホットメルト接着剤、２２Ａ…接着領域、２２Ｕ…上部接着領域、２２Ｄ…下部接着領域、２３…シール部、３０…おむつ、３１…接着部、３２…非接着部、３３…開口端、３４…ポケット、４０…おむつ、５０…おむつ、６０…おむつ、６１…切欠端部、７０…おむつ。
【図１】
0006296074.tif 000002
【図２】
0006296074.tif 000003
【図３】
0006296074.tif 000004
【図４】
0006296074.tif 000005
【図５】
0006296074.tif 000006
【図６】
0006296074.tif 000007
【図７】
0006296074.tif 000008